(57)【要約】【課題】光投写領域の形状の歪を簡便に補正可能とする投写型映像表示装置を提供する。【解決手段】投写型映像表示装置１００は、基準形状ＳＴＤを投写角に応じて変形させた複数の補正用形状を表示する表示部１５０と、投写面Ｓに投写された複数の補正用形状の中から選択された一の補正用形状に対応付けられた投写角に応じて、有効領域Ｔの形状を算出する算出部２１０とを備える。【選択図】  図７
2011035648.tif 000002
【特許請求の範囲】
【請求項１】
投写型映像表示装置において、
所定の基準形状を投写角に応じて変形させた複数の補正用形状と前記投写角とを対応付けて記憶する記憶部と、
前記記憶部から読み出された前記複数の補正用形状を表示する表示部と、
投写面に投写された前記複数の補正用形状の中から選択された一の補正用形状と対応付けられた投写角に応じて、前記表示部の有効領域の形状を算出する算出部と
を備えることを特徴とする投写型映像表示装置。
【請求項２】
請求項１記載の投写型映像表示装置において、
方向を指示する方向指示部をさらに備え、
前記表示部は、前記方向指示部から指示された方向に応じて、投写角を変化させた補正用形状を表示することを特徴とする投写型映像表示装置。
【請求項３】
請求項１記載の投写型映像表示装置において、
一の補正用形状が選択されたとき、
前記算出部は、前記一の補正用形状と対応付けられた投写角に応じて前記有効領域の形状を算出し、
前記表示部は、前記有効領域の形状を算出された形状に補正するとともに、前記複数の補正用形状のうち、前記所定の基準形状との投写角の差分が前記一の補正用形状と前記所定の基準形状との投写角の差分よりも小さい２以上の補正用形状を表示することを特徴とする投写型映像表示装置。
【請求項４】
請求項１記載の投写型映像表示装置において、
光投写領域の形状を所定の基準形状に自動的に補正する自動補正機能をさらに備え、
前記表示部は、ユーザ操作によって前記複数の補正用形状を表示することが決定されたときに、前記複数の補正用形状を表示することを特徴とする投写型映像表示装置。
【請求項５】
請求項１記載の投写型映像表示装置において、
前記一の補正用形状が選択されたとき、
前記算出部は、前記有効領域を算出された形状に補正するために必要な操作を算出し、
前記表示部は、前記操作を表示することを特徴とする投写型映像表示装置。
【請求項６】
請求項１記載の投写型映像表示装置において、
前記一の補正用形状が選択されたとき、
前記表示部は、補正される前の前記有効領域の形状と、補正された後の前記有効領域の形状とを重畳して表示することを特徴とする投写型映像表示装置。
【発明の詳細な説明】
【技術分野】
【０００１】
本発明は、投写型映像表示装置に関し、特に、映像光が投写面に対して傾斜した角度から投写された場合に発生する歪、いわゆる台形歪の補正に関する。
【背景技術】
【０００２】
従来、投写面上に映像光を投写することによって、投写面に映像を表示する投写型映像表示装置が知られている。このような投写型映像表示装置において、映像光が投写面に対して傾斜した角度から投写された場合には、投写面のうち映像光が投写される領域（以下、「光投写領域」と称する。）の形状に歪が生じてしまう。そこで、光投写領域の形状の歪を補正する様々な手法が提案されている。
【０００３】
例えば、ユーザ操作によって、光投写領域の形状の歪のうち水平方向及び垂直方向それぞれにおける歪を同時に補正する手法が提案されている（特許文献１参照）。
【０００４】
また、光投写領域の撮像画像から検出される投写面に対する光投写領域の相対位置に基づいて、水平方向及び垂直方向それぞれにおける歪を自動補正する手法が提案されている（特許文献２参照）。
【先行技術文献】
【特許文献】
【０００５】
【特許文献１】特開２００２−１５８９４６号公報
【特許文献２】特開２００５−３１８６５２号公報
【発明の概要】
【発明が解決しようとする課題】
【０００６】
しかしながら、特許文献１の手法では、水平方向及び垂直方向のいずれの方向における歪によって光投写領域の形状が歪んでいるのかをユーザが判別することは困難である。
【０００７】
また、特許文献２の手法では、光投写領域の撮像画像が用いられるので、投写面が歪んでいる場合や投写面が汚れている場合には、光投写領域の形状を精度良く補正することは困難である。
【０００８】
そこで、本発明は、上述した状況に鑑みてなされたものであり、光投写領域の形状の歪を簡便に補正可能とする投写型映像表示装置を提供することを目的とする。
【課題を解決するための手段】
【０００９】
本発明の特徴に係る投写型映像表示装置は、所定の基準形状を投写角に応じて変形させた複数の補正用形状と前記投写角とを対応付けて記憶する記憶部と、記憶部から読み出された前記複数の補正用形状を表示する表示部と、投写面に投写された前記複数の補正用形状の中から選択された一の補正用形状と対応付けられた投写角に応じて、前記表示部の有効領域の形状を算出する算出部とを備えることを要旨とする。
【００１０】
本発明の特徴に係る投写型映像表示装置は、方向を指示する方向指示部をさらに備え、前記表示部は、前記方向指示部から指示された方向に応じて、投写角を変化させた補正用形状を表示してもよい。
【００１１】
本発明の特徴に係る投写型映像表示装置において、一の補正用形状が選択されたとき、前記算出部は、前記一の補正用形状と対応付けられた投写角に応じて前記有効領域の形状を算出し、前記表示部は、前記有効領域の形状を算出された形状に補正するとともに、前記複数の補正用形状のうち、前記一の補正用形状と対応付けられた投写角よりも小さい投写角と対応付けられた２以上の補正用形状を表示してもよい。
【００１２】
本発明の特徴に係る投写型映像表示装置において、光投写領域の形状を所定の基準形状に自動的に補正する自動補正機能をさらに備え、前記表示部は、ユーザ操作によって前記複数の補正用形状を表示することが決定されたときに、前記複数の補正用形状を表示してもよい。
【００１３】
本発明の特徴に係る投写型映像表示装置において、前記一の補正用形状が選択されたとき、前記算出部は、前記有効領域を算出された形状に補正するために必要な操作を算出し、前記表示部は、前記操作を表示してもよい。
【００１４】
本発明の特徴に係る投写型映像表示装置において、前記一の補正用形状が選択されたとき、前記表示部は、補正される前の前記有効領域の形状と、補正された後の前記有効領域の形状とを重畳して表示してもよい。
【発明の効果】
【００１５】
本発明によれば、光投写領域の形状の歪を簡便に補正可能とする投写型映像表示装置を提供することができる。
【図面の簡単な説明】
【００１６】
【図１】本発明の第１実施形態に係る表示システム１をスクリーン１０の正面側から見た図である。
【図２】本発明の第１実施形態に係る表示システム１をスクリーン１０の側面側から見た図である。
【図３】本発明の第１実施形態に係る表示システム１をスクリーン１０の上面側から見た図である。
【図４】本発明の第１実施形態に係る投写型映像表示装置１００の構成を示すブロック図である。
【図５】本発明の第１実施形態に係る記憶部１７０が記憶する記憶テーブルを示す概念図である。
【図６】本発明の第１実施形態に係る投写型映像表示装置１００の動作を説明するためのフロー図である。
【図７】本発明の第１実施形態に係る有効領域Ｔに表示される補正用形状の一例を示す図である。
【図８】本発明の第１実施形態に係る投写面Ｓに表示される補正用形状の一例を示す図である。
【図９】本発明の第１実施形態に係る投写面Ｓに表示される補正用形状の一例を示す図である。
【図１０】本発明の第１実施形態に係る投写面Ｓに表示される補正用形状の一例を示す図である。
【図１１】本発明の第１実施形態に係る投写面Ｓに表示される補正用形状の一例を示す図である。
【図１２】本発明の第１実施形態に係る光投写領域Ｒの補正後の形状を示す図である。
【図１３】本発明の第２実施形態に係る投写型映像表示装置１００の構成を示すブロック図である。
【図１４】本発明の第３実施形態に係る投写型映像表示装置１００の動作を説明するためのフロー図である。
【図１５】本発明の第３実施形態に係る表示部１５０による表示例を示す図である。
【図１６】本発明の第４実施形態に係る表示部１５０による表示例を示す図である。
【発明を実施するための形態】
【００１７】
以下において、本発明の実施形態に係る投写型映像表示装置について、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［第１実施形態］
（表示システムの構成）
以下において、第１実施形態に係る表示システムの構成について、図面を参照しながら説明する。図１〜図３は、第１実施形態に係る表示システム１の構成を示す図である。具体的には、図１は、表示システム１をスクリーン１０の正面側から見た図である。図２は、表示システム１をスクリーン１０の側面側から見た図である。図３は、表示システム１をスクリーン１０の上面側から見た図である。
【００２０】
図１〜図３に示すように、表示システム１は、スクリーン１０と、投写型映像表示装置１００とを備える。
【００２１】
スクリーン１０は、投写型映像表示装置１００から出射される映像光が投写される投写面Ｓを有する。投写型映像表示装置１００は、投写面Ｓ上に映像光を投写することによって、投写面Ｓのうち映像光が投写される領域である光投写領域Ｒに映像を表示する。ユーザは、光投写領域Ｒに表示される映像を、投写面Ｓの正面側から視認する。
【００２２】
ここで、本実施形態において、投写型映像表示装置１００から出射される映像光は、投写面Ｓに対して傾斜した角度から投写されている。すなわち、映像光の投写面Ｓに対する投写角は「０°」ではない。具体的には、映像光の光軸Ｌは、図２に示すように、投写面Ｓの垂線に対して上方向にチルト角θｔを有する。また、映像光の光軸Ｌは、図３に示すように、投写面Ｓの垂線に対して左方向にパン角θｐを有する。その結果、図１に示すように、光投写領域Ｒの形状に歪が生じている。
【００２３】
なお、映像光の投写面Ｓに対する投写角が「０°」である場合、すなわち、映像光の光軸Ｌと投写面Ｓの垂線とが一致している場合には、光投写領域Ｒの形状は基準形状となる。基準形状とは、後述する表示部１５０の全画素領域の平面形状である。基準形状は、例えば、長方形や楕円形などに設定されている。
【００２４】
（投写型映像表示装置の構成）
次に、第１実施形態に係る投写型映像表示装置の構成について、図面を参照しながら説明する。図４は、第１実施形態に係る投写型映像表示装置１００の構成を示すブロック図である。
【００２５】
図４に示すように、投写型映像表示装置１００は、映像信号受付部１１０、信号変換部１２０、固体光源１３０、光源駆動部１４０、表示部１５０、投写レンズ１６０、記憶部１７０、表示駆動部１８０、受付け部１９０、方向指示部２００、及び算出部２１０を有する。
【００２６】
映像信号受付部１１０は、ＤＶＤやＴＶチューナなどの外部装置（不図示）から映像入力信号を受付ける。
【００２７】
信号変換部１２０は、映像入力信号を映像出力信号に変換して、映像出力信号を出力する。映像入力信号は、フレーム毎の信号であり、赤入力信号、緑入力信号及び青入力信号を含む。映像出力信号は、フレーム毎の信号であり、赤出力信号、緑出力信号及び青出力信号を含む。
【００２８】
固体光源１３０は、ＬＥＤ（Ｌａｓｅｒ  Ｅｍｉｔｔｉｎｇ  Ｄｉｏｄｅ）やＬＤ（Ｌａｓｅｒ  Ｄｉｏｄｅ）などの固体光源である。図示しないが、固体光源１３０は、赤固体光源と、緑固体光源と、青固体光源とによって構成される。各色の固体光源は、複数の固体光源によって構成されるアレイ光源であってもよい。
【００２９】
光源駆動部１４０は、映像出力信号に基づいて、固体光源１３０の駆動を制御する。具体的には、光源駆動部１４０は、赤出力信号に基づいて赤固体光源の駆動電力を制御することによって、赤固体光源から出射される赤成分光の光量を制御する。光源駆動部１４０は、緑出力信号に基づいて緑固体光源の駆動電力を制御することによって、緑固体光源から出射される緑成分光の光量を制御する。光源駆動部１４０は、青出力信号に基づいて青固体光源の駆動電力を制御することによって、青固体光源から出射される青成分光の光量を制御する。
【００３０】
表示部１５０は、映像出力信号に応じて、固体光源１３０から出射される光を変調する光変調素子である。表示部１５０としては、例えば、ＬＣＤ（Liquid Crystal Display）やＤＭＤ（Ｄｉｇｉｔａｌ  Ｍｉｃｒｏｍｉｒｒｏｒ  Ｄｅｖｉｃｅ）などを用いることができる。図示しないが、表示部１５０は、赤出力信号に応じて赤成分光を変調する赤変調素子と、緑出力信号に応じて緑成分光を変調する緑変調素子と、青出力信号に応じて青成分光を変調する青変調素子とによって構成される。各色の変調素子から出射された光が合成されることによって、映像光が生成される。
【００３１】
表示部１５０は、図４に示すように、映像光が出射される領域である有効領域Ｔを有する。各色の変調素子の有効領域Ｔは互いに同じ形状に補正される。各色の変調素子における有効領域Ｔの形状を補正することによって、光投写領域Ｒの形状を補正することができる。有効領域Ｔから出射された映像光は、投写レンズ１６０を介して投写面Ｓに投写される。これによって、光投写領域Ｒに映像が表示される。
【００３２】
ここで、表示部１５０は、後述する複数の補正用形状を、有効領域Ｔに表示する。有効領域Ｔに表示された各補正用形状は、投写レンズ１６０を介して投写面Ｓに投写される。従って、映像光が投写面Ｓに対して傾斜した角度から投写される場合、投写面Ｓに表示される各補正用形状は、有効領域Ｔに表示された各補正用形状とは異なる形状に歪む。すなわち、投写面Ｓにおける各補正用形状には、映像光の光軸Ｌと投写面Ｓの垂線との角度に応じて歪が生じる。
【００３３】
記憶部１７０は、複数の補正用形状を記憶している。具体的には、記憶部１７０は、複数の補正用形状を示す複数の補正用形状データを記憶している。ここで、補正用形状とは、前述の基準形状を投写角に応じて変形させた形状であり、基準形状を含む。すなわち、補正用形状は、０°を含む様々な投写角で所定の基準形状が投写されたときに表示される形状である。補正用形状データとは、補正用形状を表示部１５０に表示するために必要なパラメータである。記憶部１７０は、各補正用形状に対応付けて、所定の基準形状を変形させた投写角を記憶する。
【００３４】
ここで、図５は、記憶部１７０が記憶する記憶テーブルを示す概念図である。図５に示すように、各補正用形状は、基準形状ＳＴＤを基準として投写角に応じて変形させた形状である。なお、各補正用形状の投写角は、チルト角とパン角とによって特定される。
【００３５】
図５では、基準形状ＳＴＤを０°から±８０°まで２０°刻みで変形させた８１個の補正用形状が示されているが、記憶部１７０は、基準形状ＳＴＤを０°から±９０°まで任意の度数（例えば、１°）刻みで変形させた補正用形状を記憶することができる。また、図５では、基準形状ＳＴＤは、横長（例えば、縦横比３：４など）の長方形であるが、三角形、円形或いは楕円形などであってもよい。
【００３６】
また、以下の説明では、投写角を特定するために、上チルト角には「＋」を、下チルト角には「−」を付記し、右パン角には「＋」を、左パン角には「−」を付記する。また、投写角が特定された補正用形状を「補正用形状（チルト角、パン角）」と表示する。例えば、チルト角＋２０°かつパン角−１０°に対応付けられた補正用形状は、補正用形状（＋２０°,−１０°）と表示される。
【００３７】
表示駆動部１８０は、信号変換部１２０から取得する映像出力信号に応じて、表示部１５０を制御する。また、表示駆動部１８０は、記憶部１７０から取得する複数の補正用形状データを用いて、有効領域Ｔに２以上の補正用形状を組合せて表示する。表示駆動部１８０は、ユーザ操作に応じて、有効領域Ｔに表示される２以上の補正用形状の組合せ及び配置を順次変更する。具体的には、表示駆動部１８０は、方向を指示するユーザ操作に応じて、指示された方向に投写角が変化された補正用形状を表示する。２以上の補正用形状の組合せ方については後述する。
【００３８】
また、表示駆動部１８０は、表示部１５０の有効領域Ｔの形状を制御する。具体的には、表示駆動部１８０は、後述する算出部２１０における算出結果に基づいて、表示部１５０の有効領域Ｔの形状を補正する。これによって、光投写領域Ｒの形状は、基準形状ＳＴＤに近似する形状に補正される。
【００３９】
受付け部１９０は、操作Ｉ／Ｆ（例えば、リモコン）などを介して、ユーザ操作を受付ける。具体的には、受付け部１９０は、投写面Ｓに投写された２以上の補正用形状の中から一の補正用形状を選択するユーザ操作を受付ける。また、受付け部１９０は、方向を指示するユーザ操作を受付ける。ユーザは、操作Ｉ／Ｆを介して、投写面Ｓ上で方向を指示することによって、投写面Ｓに投写される補正用形状の投写角を変化させる方向を選択することができる。
【００４０】
方向指示部２００は、受付け部１９０によって受付けられた方向に基づいて、投写角を変化させる方向、すなわち、画面をスクロールする方向を表示駆動部１８０に指示する。
【００４１】
算出部２１０は、投写面Ｓに投写された複数の補正用形状の中から選択された一の補正用形状に対応付けられた投写角に応じて、表示部１５０の有効領域Ｔの形状を算出する。具体的には、算出部２１０は、選択された一の補正用形状に対応付けられたチルト角及びパン角に応じて、有効領域Ｔの形状として適切な形状を算出する。
【００４２】
例えば、ユーザ操作によって補正用形状（−２０°,＋３０°）が選択された場合、算出部２１０は、光軸Ｌのチルト角θｔが＋２０°、光軸Ｌのパン角θｐが−３０°であると判断する（図２及び図３参照）。そして、算出部２１０は、有効領域Ｔに適切な形状として、選択された補正用形状（−２０°,＋３０°）を表示部１５０に表示するためのパラメータを算出する。このようなパラメータとしては、記憶部１７０に記憶されている補正用形状（−２０°,＋３０°）に係る補正用形状データと同じであってもよい。
【００４３】
（投写型映像表示装置の動作）
次に、投写型映像表示装置の動作について、図面を参照しながら説明する。図６は、第１実施形態に係る投写型映像表示装置１００の動作を説明するためのフロー図である。以下に説明する動作は、投写型映像表示装置１００が起動された場合、投写型映像表示装置１００が配置変更された場合、或いはユーザの指示があった場合などに開始される。
【００４４】
ステップＳ１０において、表示駆動部１８０は、記憶部１７０から複数の補正用形状データを取得する。
【００４５】
ステップＳ１１において、表示部１５０は、記憶部１７０から読み出された複数の補正用形状データに基づいて、２以上の補正用形状を有効領域Ｔに表示する。図７は、有効領域Ｔに表示される補正用形状の一例を示す図である。図７に示すように、表示部１５０は、基準形状ＳＴＤを中心として、基準形状ＳＴＤを上下左右に４０°ずつ傾斜することによって変形させた８つの補正用形状を表示する。具体的には、表示部１５０は、補正用形状（０°,０°）、補正用形状（＋４０°,＋４０°）、補正用形状（−４０°,−４０°）、補正用形状（＋４０°,０°）、補正用形状（−４０°,０°）、補正用形状（＋４０°,−４０°）、補正用形状（−４０°,＋４０°）、補正用形状（０°,＋４０°）及び補正用形状（０°,−４０°）を有効領域Ｔに表示する。また、図８は、投写面Ｓに表示される補正用形状の一例を示す図である。図８に示すように、有効領域Ｔの形状及び９つの補正用形状には歪みが生じる。これは、表示部１５０から出射される映像光が、投写面Ｓに対して傾斜した角度から投写されるためである。なお、投写面Ｓに表示される基準形状ＳＴＤの形状は、光投写領域Ｒの形状の相似形である。
【００４６】
ステップＳ１２において、方向指示部２００は、ユーザから受付けた方向に応じて、補正用形状の投写角を変化させる方向を表示駆動部１８０に指示する。表示部１５０は、指示された方向に応じて、投写角を変化させた補正用形状を表示する。
【００４７】
具体的には、ユーザは、図８に示す９つの補正用形状を視認して、歪が小さい方向を、操作Ｉ／Ｆに入力する。表示駆動部１８０は、入力された方向に補正用形状の投写角を変化させる。例えば、図８に示すように、ユーザが操作Ｉ／Ｆの上方向ボタンを押下した場合、図９に示すように、表示部１５０は、下段の３つの補正用形状を非表示にするとともに、中段の３つの補正用形状を下段に移し、上段の３つの補正用形状を中段に移す。また、表示部１５０は、中段に移された３つの補正用形状のチルト角に＋４０°を加えた投写角に対応する３つの補正用形状を上段に表示する。
【００４８】
ステップＳ１３において、受付け部１９０は、投写面Ｓに投写された２以上の補正用形状の中から一の補正用形状を選択するユーザ操作を受付ける。ユーザは、図９に示す９つの補正用形状を視認して、歪が小さい補正用形状を選択する。図１０は、ユーザによって補正用形状（＋４０°,−４０°）が選択された場合の一例である。図１０に示すように、表示部１５０は、網掛けなどを施すことによって、選択された補正用形状（＋４０°,−４０°）を表示する。
【００４９】
ステップＳ１４において、表示部１５０は、有効領域Ｔの形状を、一の補正用形状の投写角に応じて算出される形状に補正する。これによって、光投写領域Ｒの形状は、図１１に示すように、選択された補正用形状（＋４０°,−４０°）の相似形に補正される。
【００５０】
さらに、この場合、表示部１５０は、図１１に示すように、選択された補正用形状（＋４０°,−４０°）を中心として、選択された補正用形状（＋４０°,−４０°）を上下左右に２０°ずつ傾斜して変形させた８つの補正用形状を表示する。すなわち、表示部１５０は、一の補正用形状が選択された場合、基準形状との投写角の差分が、一の補正用形状と基準形状との投写角の差分よりも小さい２以上の補正用形状を表示する。
【００５１】
ステップＳ１２〜Ｓ１４は、ユーザによって操作Ｉ／Ｆの確定ボタンが押下されるまで繰り返し実行される。ユーザは、複数の補正用形状の中から最も基準形状に近い一の補正用形状を選択して確定ボタンを押下する。
【００５２】
ステップＳ１５において、受付部１９０が確定ボタンの押下を受付けた場合、表示部１５０は、有効領域Ｔの形状を、一の補正用形状の投写角に応じて算出される形状に補正する。これによって、図１２に示すように、光投写領域Ｒの形状は、選択が確定された補正用形状（＋２０°,−２０°）に補正される。
【００５３】
（作用及び効果）
第１実施形態において、投写型映像表示装置１００は、基準形状ＳＴＤを投写角に応じて変形させた複数の補正用形状を表示する表示部１５０と、投写面Ｓに投写された複数の補正用形状の中から選択された一の補正用形状に対応付けられた投写角に応じて、有効領域Ｔの形状を算出する算出部２１０とを備える。
【００５４】
従って、ユーザは、複数の補正用形状の中から基準形状ＳＴＤに近似する補正用形状を簡易に選択することができるので、光投写領域Ｒの形状を簡便に補正することができる。
【００５５】
また、第１実施形態において、表示部１５０は、方向指示部２００がユーザから受付けた方向に応じて、投写角を変化させた補正用形状を表示する。
【００５６】
従って、ユーザは、投写角を変化させる方向を指示することによって、指示された方向に投写角を変化させた補正用形状を光投写領域Ｒ上で順次確認できる。そのため、ユーザは、光投写領域Ｒの形状として適切な補正用形状を簡易に検索することができる。
【００５７】
また、第１実施形態において、表示部１５０は、一の補正用形状が選択された場合、基準形状ＳＴＤとの投写角の差分が、一の補正用形状と基準形状ＳＴＤとの投写角の差分よりも小さい２以上の補正用形状を表示する。
【００５８】
従って、ユーザは、選択された一の補正用形状を微小に変形させた補正用形状を確認できる。そのため、ユーザは、光投写領域Ｒの形状として適切な補正用形状を精度よく選択することができる。
【００５９】
［第２実施形態］
次に、本発明の第２実施形態について、図面を参照しながら説明する。以下においては、第１実施形態との相違点について主に説明する。具体的には、第２実施形態に係る投写型映像表示装置１００は、光投写領域Ｒの形状を基準形状ＳＴＤに自動的に補正する自動補正機能を有している。
【００６０】
（投写型映像表示装置の構成）
図１３は、第２実施形態に係る投写型映像表示装置１００の構成を示すブロック図である。図１３に示すように、投写型映像表示装置１００は、上記第１実施形態の構成に加えて、自動算出部２２０を有する。
【００６１】
自動算出部２２０は、光投写領域Ｒの形状が基準形状ＳＴＤになるように有効領域Ｔの形状を補正するためのパラメータを算出する。具体的には、自動算出部２２０は、映像光の投写面Ｓへの投写角に基づいて、上述のパラメータを算出する。投写角を自動的に検出する方法としては、周知の台形補正法を用いることができる。例えば、光投写領域Ｒの四隅に表示されるテストパターンのフォーカス位置に基づいて光投写領域Ｒの四隅と投写型映像表示装置１００との距離を算出する手法や、光投写領域Ｒに表示されるテストパターンの撮像データ座標とテストパターンの基本データ座標とをマッチングさせる手法などを用いることができる。
【００６２】
表示駆動部１８０は、自動算出部２２０によって算出されたパラメータに基づいて、有効領域Ｔの形状を補正する。これによって、光投写領域Ｒの形状は、基準形状ＳＴＤに近似する形状に補正される。
【００６３】
また、表示駆動部１８０は、後述するように、ユーザから手動による光投写領域Ｒの形状の補正が求められた場合に、複数の補正用形状を有効領域Ｔに表示する。従って、表示部１５０は、ユーザ操作によって複数の補正用形状を表示することが決定された場合に、有効領域Ｔに複数の補正用形状を表示する。
【００６４】
受付け部１９０は、光投写領域Ｒの形状をさらに補正することを示すユーザ操作を受付ける。すなわち、ユーザは、自動補正機能によって補正された光投写領域Ｒの形状に歪みが残存している場合に、手動による光投写領域Ｒの形状の補正を行うことを決定する。
【００６５】
（作用及び効果）
第２実施形態において、投写型映像表示装置１００は、光投写領域Ｒの形状を基準形状ＳＴＤに自動的に補正する自動補正機能を有する。表示部１５０は、ユーザ操作によって複数の補正用形状を表示することが決定された場合に、有効領域Ｔに複数の補正用形状を表示する。
【００６６】
従って、自動補正機能によって光投写領域Ｒの形状が精度よく補正できる場合には、ユーザが手動で光投写領域Ｒの形状を補正する必要がない。そのため、ユーザの取り扱い性を向上することができる。
【００６７】
また、自動補正機能によって、光投写領域Ｒの形状を基準形状ＳＴＤに近似する形状に一旦補正できるので、ユーザによる補正操作を簡便にすることができる。すなわち、自動補正機能によって光投写領域Ｒの形状を大まかに補正した後に、手動によって光投写領域Ｒの形状を正確に補正することができる。
【００６８】
［第３実施形態］
次に、本発明の第３実施形態について、図面を参照しながら説明する。以下においては、第１実施形態との相違点について主に説明する。具体的には、第３実施形態に係る投写型映像表示装置１００は、有効領域Ｔの形状を補正する際、ユーザに確認を求める。
【００６９】
（投写型映像表示装置の動作）
図１４は、第３実施形態に係る投写型映像表示装置１００の動作を説明するためのフロー図である。
【００７０】
ステップＳ１３１において、表示部１５０は、図１５に示すように、有効領域Ｔの形状を補正する前後における有効領域Ｔの形状を、有効領域Ｔにおいて重畳して表示する。具体的には、ユーザによって補正用形状（＋４０°,−４０°）が選択された場合（図１０参照）、補正用形状（＋４０°,−４０°）に基づいて表示される光投写領域Ｒの形状（図中の実線）と現在の光投写領域Ｒの形状（図中の破線）との両方が光投写領域Ｒに表示される。
【００７１】
ステップＳ１３２において、受付け部１９０は、有効領域Ｔの形状の補正を指示するユーザ操作を受付ける。ユーザは、補正前後における光投写領域Ｒの形状を確認して、補正処理を進めることを指示する。その後、処理はステップＳ１４に進む。
【００７２】
（作用及び効果）
第３実施形態において、表示部１５０は、有効領域Ｔの形状を補正する前後における有効領域Ｔの形状を、有効領域Ｔにおいて重畳して表示する。
【００７３】
従って、ユーザは、選択した一の補正用形状に基づいて、光投写領域Ｒの形状が予想したとおりに補正されるか否かを確認することができる。そのため、ユーザによる補正の精度をより向上することができる。
【００７４】
［第４実施形態］
次に、本発明の第４実施形態について、図面を参照しながら説明する。以下においては、第１実施形態との相違点について主に説明する。
【００７５】
第４実施形態において、算出部２１０は、ユーザによって一の補正用形状が選択されたとき、有効領域Ｔを算出された形状に補正するために必要な操作を算出する。
【００７６】
表示部１５０は、算出部２１０によって算出された操作を有効領域Ｔに表示する。具体的には、図１６に示すように、表示部１５０は、光投写領域Ｒを基準形状に近似する形状に補正するための方向を矢印によって示す。矢印は、光投写領域Ｒの歪を補正する方向を示している。ユーザは、矢印に従って操作Ｉ／Ｆを操作することによって、光投写領域Ｒの形状を手動で補正する。
【００７７】
（作用及び効果）
第４実施形態において、表示部１５０は、算出部２１０によって算出された操作を有効領域Ｔに表示する。従って、ユーザは、表示部１５０の表示に従って操作することによって、光投写領域Ｒの形状を簡便に補正することができる。
【００７８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７９】
例えば、上述した実施形態では特に触れていないが、表示部１５０は、ユーザ操作に従って、有効領域Ｔを回転させてもよい。これによって、光投写領域Ｒの水平・垂直方向を適切に補正することができる。
【００８０】
また、上述した実施形態では特に触れていないが、表示部１５０は、一の補正用形状を選択された場合、有効領域Ｔに表示する補正用形状の数を減らすとともに、有効領域Ｔに補正用形状を大きく表示してもよい。この場合、各補正用形状の違いを精査しやすくすることができる。
【符号の説明】
【００８１】
Ｌ…光軸
Ｒ…光投写領域
Ｓ…投写面
Ｔ…有効領域
１…表示システム
１０…スクリーン
１００…投写型映像表示装置
１１０…映像信号受付部
１２０…信号変換部
１３０…固体光源
１４０…光源駆動部
１５０…表示部
１６０…投写レンズ
１７０…記憶部
１８０…表示駆動部
１９０…受付部
２００…方向指示部
２１０…算出部
２２０…自動算出部
【図１】
2011035648.tif 000003
【図２】
2011035648.tif 000004
【図３】
2011035648.tif 000005
【図４】
2011035648.tif 000006
【図５】
2011035648.tif 000007
【図６】
2011035648.tif 000008
【図７】
2011035648.tif 000009
【図８】
2011035648.tif 000010
【図９】
2011035648.tif 000011
【図１０】
2011035648.tif 000012
【図１１】
2011035648.tif 000013
【図１２】
2011035648.tif 000014
【図１３】
2011035648.tif 000015
【図１４】
2011035648.tif 000016
【図１５】
2011035648.tif 000017
【図１６】
2011035648.tif 000018